(57)【要約】【課題】階層毎に選択肢が表示される場合に所望の選択肢に辿り着くための操作手順を減少することができる表示入力装置を提供する。【解決手段】表示入力装置１は、複数の選択肢画像を有する階層Ｓ１、Ｓ２、Ｓ３…を有し、各階層Ｓ１、Ｓ２、Ｓ３…の座標が隣り合う階層の座標と対応付けられた表示画像情報２６０を記憶するマイクロコンピュータ２０上の記憶部と、操作内容を検出して検出信号を出力する操作部としてのタッチセンサ１２と、表示画像を表示する表示部１４と、記憶部に記憶された表示画像情報２６０のうち表示部１４に表示される表示画像の領域を示す表示領域Ａ１を、タッチセンサ１２が出力した検出信号に基づいて階層上において座標移動させ、又は同一座標において隣り合う階層へ移動させ、移動させた結果としての当該表示領域に基づいて表示部１４に表示する表示画像を生成する表示画像生成部２６とを有する。【選択図】図１
2012256147.tif 000002
【特許請求の範囲】
【請求項１】
複数の選択肢画像を有する階層を複数有し、各階層の座標が隣り合う階層の座標と対応付けられた表示画像情報を記憶する記憶部と、
操作内容を検出して少なくとも第１の検出信号及び第２の検出信号を出力する操作部と、
表示画像を表示する表示部と、
前記記憶部に記憶された前記表示画像情報のうち前記表示部に表示される表示画像の領域を示す表示領域を、前記操作部が出力した前記第１の検出信号に基づいて階層上において座標移動させ、又は前記第２の検出信号に基づいて同一座標において隣り合う階層へ移動させ、移動させた結果としての当該表示領域に基づいて前記表示部に表示する表示画像を生成する表示画像生成部とを有する表示入力装置。
【請求項２】
前記操作部は、操作内容を検出して第３の検出信号を出力し、
前記操作部が出力した前記第３の検出信号に基づいて、前記表示部に表示された表示画像に含まれる選択肢画像に関連付けられた制御信号を出力する制御部をさらに有する請求項１に記載の表示入力装置。
【請求項３】
前記操作部は、操作内容を検出して第４の検出信号を出力し、
前記表示画像生成部は、前記操作部が出力する前記第４の検出信号に基づいて前記表示領域を拡大又は縮小する請求項１に記載の表示入力装置。
【発明の詳細な説明】
【技術分野】
【０００１】
本発明は、表示入力装置に関する。
【背景技術】
【０００２】
従来の技術として、利用者の意思決定が入力されなくても表示中の選択肢に属する下位の階層の選択肢を表示する表示入力装置がある（例えば、特許文献１参照）。
【０００３】
この表示入力装置は、表示装置と、表示装置上に配置されて利用者の指等の接触位置を検出する接触位置検出手段と、ツリー構造を有する複数の選択肢のうちある上位階層の選択肢が表示されている場合に接触位置に対応する上位階層の選択肢に属する下位階層の選択肢を表示する表示制御手段と、利用者の指等が接触位置検出手段の前方の空間に接近したことを検出するセンサとを有し、表示制御手段は、センサによって指等が表示装置に表示された上位階層の選択肢に近接したことが検出された場合、当該選択肢の下位階層の選択肢を表示装置に表示する。
【０００４】
この表示入力装置によれば、利用者による意思決定が入力されなくても下位の階層を表示するため、意思決定を入力する前に下位の階層の内容を確認して、所望の下位階層の選択肢を含む上位階層を決定することができる。
【先行技術文献】
【特許文献】
【０００５】
【特許文献１】特開２０１０−１９６４３号公報
【発明の概要】
【発明が解決しようとする課題】
【０００６】
しかし、特許文献１に示す表示入力装置は、決定した上位階層に属する下位階層の選択肢を表示中に、当該選択肢以外の選択肢に辿り付くためには、再び上位階層を一覧する表示形態に戻り、該当する上位階層の選択肢を選択する必要があった。
【０００７】
従って、本発明の目的は、階層毎に選択肢が表示される場合に所望の選択肢に辿り着くための操作手順を減少することができる表示入力装置を提供することにある。
【課題を解決するための手段】
【０００８】
本発明の一態様は、複数の選択肢画像を有する階層を複数有し、各階層の座標が隣り合う階層の座標と対応付けられた表示画像情報を記憶する記憶部と、操作内容を検出して少なくとも第１の検出信号及び第２の検出信号を出力する操作部と、表示画像を表示する表示部と、前記記憶部に記憶された前記表示画像情報のうち前記表示部に表示される表示画像の領域を示す表示領域を、前記操作部が出力した前記第１の検出信号に基づいて階層上において座標移動させ、又は前記第２の検出信号に基づいて同一座標において隣り合う階層へ移動させ、移動させた結果としての当該表示領域に基づいて前記表示部に表示する表示画像を生成する表示画像生成部とを有する表示入力装置を提供する。
【０００９】
上記表示入力装置の操作部は、操作内容を検出して第３の検出信号を出力し、上記表示入力装置は、前記操作部が出力した第３の検出信号に基づいて、前記表示部に表示された表示画像に含まれる選択肢画像に関連付けられた制御信号を出力する制御部をさらに有させてもよい。
【００１０】
上記表示入力装置の操作部は、操作内容を検出して第４の検出信号を出力し、上記表示画像生成部は、前記操作部が出力する第４の検出信号に基づいて前記表示領域を拡大又は縮小してもよい。
【発明の効果】
【００１１】
本発明によれば、階層毎に選択肢が表示される場合に所望の選択肢に辿り着くための操作手順を減少することができる。
【図面の簡単な説明】
【００１２】
【図１】図１は、実施の形態に係る表示入力装置が搭載された車両内の構成の一例を示す概略図である。
【図２】図２は、実施の形態に係る表示入力装置の構成の一例を示すブロック図である。
【図３】図３は、実施の形態に係る表示画像情報の構成の一例を示す概略図である。
【図４】図４（ａ）〜（ｃ）は、実施の形態におけるタッチセンサ部に対する代表的な操作例を示す概略図である。
【図５Ａ】図５Ａは、表示画面に表示される表示画像と、表示画像情報と、表示領域と、判定部が判定した操作内容との関係から表示入力装置の動作の一例を説明するための概略図である。
【図５Ｂ】図５Ｂは、表示画面に表示される表示画像と、表示画像情報と、表示領域と、判定部が判定した操作内容との関係から表示入力装置の動作の一例を説明するための概略図である。
【発明を実施するための形態】
【００１３】
（表示入力装置の構成）
図１は、実施の形態に係る表示入力装置が搭載された車両内の構成の一例を示す概略図である。
【００１４】
この表示入力装置１は、車両６に搭載されたシート位置調整装置、空調装置、ナビゲーション装置、オーディオ装置、視界確保装置及び運転支援装置等の電子機器の操作、並びに文字等の入力を行うことができるものである。
【００１５】
表示入力装置１の表示部１４ａは、例えば、図１に示すように、運転席と助手席の間であり、垂直方向に設けられたセンターコンソール６０に配置されている。また、表示部１４ａに対応したタッチセンサ部１２ａは、シフトレバー６４付近に配置されている。
【００１６】
また、表示入力装置１の表示部１４ｂは、メータパネル６２等のサブモニタとして配置され、表示部１４ｂに対応したタッチセンサ部１２ｂは、ステアリングホイール６３上に配置される。
【００１７】
図２は、実施の形態に係る表示入力装置の構成の一例を示すブロック図である。
【００１８】
この表示入力装置１は、画像や文字等を表示する表示部１４ａ、１４ｂ（以下、表示部１４として記載する。）と、表示部１４ａ、１４ｂにそれぞれ対応し、なされた操作に基づく検出信号を出力する検出部としてのタッチセンサ部１２ａ、１２ｂ（以下、タッチセンサ部１２として記載する。）と、タッチセンサ部１２から出力された検出信号に基づいてなされた操作を判定する判定部２４と、判定部２４により行われた画像の配置を変更する操作の判定に基づいて、マイクロコンピュータ２０上の記憶部に記憶された表示画像情報２６０に基づいて複数の画像の少なくとも１つの画像の配置を変更して表示部１４に表示させる表示画像を生成する表示画像生成部２６と、制御情報３２０に基づいて、表示画像に割り付けられた機能を実行する制御部３２と、を備えて概略構成されている。
【００１９】
（タッチセンサ部１２の構成）
タッチセンサ部１２は、例えば、操作者の体の一部（例えば、指）でカバー１２０の検出面１２１に触れた場合、触れた検出面１２１上の位置を検出するタッチセンサである。操作者は、例えば、検出面１２１に操作を行うことにより、接続された電子機器の操作及び入力を行うことが可能となる。タッチセンサ部１２としては、例えば、周知の抵抗膜方式、赤外線方式、ＳＡＷ方式、静電容量方式等のタッチパネルを用いることが可能である。
【００２０】
本実施の形態に係るタッチセンサ部１２は、例えば、検出面１２１に指が近づくことによる、第１の電極１２２及び第２の電極１２３と指との距離に反比例した電流の変化を検出信号として出力する静電容量方式のタッチセンサである。
【００２１】
このタッチセンサ部１２は、例えば、図２に示すように、カバー１２０と、第１の電極１２２及び第２の電極１２３と、を備えて概略構成されている。
【００２２】
カバー１２０は、例えば、ＰＥＴ（Polyethylene terephthalate）又はガラスを用いて、板状に形成される。
【００２３】
第１の電極１２２及び第２の電極１２３は、例えば、ＩＴＯ（スズドープ酸化インジウム：Indium Tin Oxide）を用いて、カバー１２０に形成される。
【００２４】
第１の電極１２２及び第２の電極１２３は、例えば、図２に示すように、紙面の縦方向及び横方向に沿って並んでいる。本実施の形態では、図２の紙面の横方向をｘ軸、縦方向をｙ軸とし、タッチセンサ部１２の左上を原点としている。
【００２５】
ｘ軸方向には、例えば、ｍ個の第２の電極１２３が等間隔で並んでいる。このｍは、例えば、正の整数である。この第２の電極１２３は、例えば、タッチ検出部１２５と接続され、タッチ検出部１２５は、クロック信号に応じて順番に第２の電極１２３に接続して静電容量を読み出す。
【００２６】
ｙ軸方向には、例えば、ｎ個の第１の電極１２２が等間隔で並んでいる。このｎは、例えば、正の整数である。この第１の電極１２２は、例えば、駆動部１２４と接続され、駆動部１２４は、クロック信号生成部３６が生成するクロック信号に応じて順番に電圧を供給する。この電圧は、例えば、図２に示すように、車両６の電源より供給、あるいは、表示入力装置１の動作に必要な電圧に調整されて供給される。
【００２７】
ｙ軸に平行に並べられた第２の電極１２３は、例えば、ｘ軸に平行に並べられた第１の電極１２２よりも検出面１２１に近い層に形成されている。また、第１の電極１２２は、例えば、第２の電極１２３と電気的に絶縁されている。
【００２８】
ここで、ｘ軸の座標は、ｘに下付きの数字（１〜ｍ）を付して、左から右に向かってｘ１〜ｘｍと示すものとする。また、ｙ軸の座標は、ｙに下付きの数字（１〜ｎ）を付して、上から下に向かってｙ１〜ｙｎと示すものとする。
【００２９】
具体的には、駆動部１２４は、例えば、第１の電極１２２のｙ１〜ｙｎの順番で電圧を供給する。また、タッチ検出部１２５は、例えば、第２の電極１２３のｘ１〜ｘｍの順番に静電容量を読み出すように構成されている。
【００３０】
タッチ検出部１２５は、例えば、読み出した各第２の電極１２３の静電容量の値（静電容量値）に基づいて、座標値（ｘｍの静電容量値、ｙｎの静電容量値、ｔ）を生成し、検出信号としてセンサコントローラ３４に出力するように構成されている。なお、時間ｔは、例えば、クロック信号が出力された時刻を示している。
【００３１】
（表示部１４の構成）
表示部１４は、例えば、ＴＦＴ（Thin Film Transistor）型等の周知の液晶ディスプレイである。この表示部１４は、例えば、マイクロコンピュータ２０の表示コントローラ２２に接続され、表示コントローラ２２から出力される表示信号に基づいて表示画面１４０に画像を表示させる。
【００３２】
（マイクロコンピュータ２０の構成）
マイクロコンピュータ２０は、例えば、プログラムに従って、取得したデータに演算、加工等を行うＣＰＵ、半導体メモリであるＲＡＭ（Random Access Memory）及びＲＯＭ（Read Only Memory）等から構成される。このＲＯＭには、例えば、ＣＰＵが動作するためのプログラム等が格納されている。ＲＡＭは、例えば、一時的に演算結果等を格納する記憶領域として用いられる。
【００３３】
マイクロコンピュータ２０は、例えば、図２に示すように、表示コントローラ２２と、判定部２４と、表示画像生成部２６と、制御部３２と、センサコントローラ３４と、クロック信号生成部３６と、を備えて概略構成されている。
【００３４】
表示コントローラ２２は、例えば、表示画像生成部２６から出力された表示画像情報２６０に基づいて表示信号を生成し、表示信号に基づいた画像を表示部１４に表示させるように構成されている。
【００３５】
判定部２４は、例えば、タッチセンサ部１２のタッチ検出部１２５から取得した検出信号に基づいた座標値から、指が接触、又は近づいた座標を算出する。この座標の算出方法は、例えば、加重平均を用いた方法等の周知の方法が用いられる。そして、判定部２４は、算出した少なくとも１つの座標の時間変化から、ドラッグ操作、ピンチアウト操作、ピンチイン操作、タッチ操作、タップ操作及び長押操作等の操作を判定する。
【００３６】
表示画像生成部２６は、例えば、判定部２４が判定した操作に基づいて表示部１４に表示させる表示画像を生成するように構成されている。表示画像生成部２６は、例えば、表示部１４に表示させる表示画像の情報である表示画像情報２６０を生成して表示コントローラ２２に出力する。なお、表示画像情報２６０は、例えば、表示画面１４０の全域に表示される背景画像の情報を含む。
【００３７】
制御部３２は、判定部２４が判定した操作と、表示部１４に表示された表示画像に割り付けられた機能を定義する制御情報３２０とに基づいて、車両６に搭載されたシート位置調整装置、空調装置、ナビゲーション装置、オーディオ装置、視界確保装置及び運転支援装置等の電子機器を制御する。また、制御部３２は、例えば、マイクロコンピュータ２０の各部を制御する。
【００３８】
センサコントローラ３４は、例えば、タッチセンサ部１２を制御する。具体的には、供給する電圧の制御、供給時間の制御、静電容量の読み出しのタイミングの制御等を行うように構成されている。
【００３９】
クロック信号生成部３６は、例えば、表示入力装置１の動作に必要なクロック信号を生成し、各部に供給している。
【００４０】
メモリ３８は、例えば、半導体メモリである。このメモリ３８には、接続機器情報３８０が格納されている。この接続機器情報３８０は、表示入力装置１が接続される電子機器の情報である。この電子機器の情報とは、例えば、表示画面１４０に表示させる画像の情報、当該画像に割り付けられた機能の情報等である。なお、メモリ３８は、例えば、マイクロコンピュータ２０のＲＯＭ等のメモリを用いて構成されても良い。また、長押操作により表示させる機能一覧が、電子機器に依存せず共通である場合は、機能一覧に関する共通の情報が格納される。
【００４１】
通信部４０は、例えば、接続された電子機器と通信可能となるように構成されている。接続機器情報３８０は、例えば、この通信部４０を介してメモリ３８に格納される。この通信部４０は、例えば、有線又は無線により、電子機器と接続されている。
【００４２】
図３は、実施の形態に係る表示画像情報の構成の一例を示す概略図である。
【００４３】
表示画像情報２６０は、複数の階層Ｓ１、Ｓ２、Ｓ３…から構成される。階層Ｓ１は、選択肢ｓ１１、ｓ１２、ｓ１３、ｓ１４、ｓ１５を有している。また、階層Ｓ２は、選択肢ｓ２１、ｓ２２、ｓ２３…を有しており、階層Ｓ３は、選択肢ｓ３１、ｓ３２、ｓ３３…を有している。
【００４４】
各階層Ｓ１、Ｓ２、Ｓ３…はツリー構造のように相互に関連しており、例えば、階層Ｓ２において、階層Ｓ１の選択肢ｓ１１に対応する領域に選択肢ｓ２１、ｓ２２、ｓ２３、ｓ２４、ｓ２５、ｓ２６がｓ１１に属するように配置されている。また、階層Ｓ３において、階層Ｓ２の選択ｓ２１に対応する領域にｓ３１、ｓ３２が配置されている。
【００４５】
また、各階層Ｓ１、Ｓ２、Ｓ３…の同一の領域に配置された選択肢のうち、最も値の大きな階層に配置された選択肢には、制御情報３２０が割り当てられている。例えば、階層Ｓ２において、階層Ｓ１の選択肢ｓ１１に対応する領域に選択肢ｓ２１、ｓ２２、ｓ２３、ｓ２４、ｓ２５、ｓ２６が配置されているが、階層Ｓ３において、階層Ｓ２の選択肢ｓ２１に対応する領域に選択肢ｓ３１、ｓ３２がさらに配置されており、これより高い階層がない場合であるので、選択肢ｓ３１及びｓ３２にそれぞれシートを「＋」方向及び「−」方向にスライドさせる制御情報３２０が割り当てられている。
【００４６】
各階層Ｓ１、Ｓ２、Ｓ３…のうち、表示領域Ａ１の部分が表示画面１４０に表示される。表示領域Ａ１は、後述するドラッグ操作により移動可能であり、ピンチイン、ピンチアウト操作によってサイズが可変である。また、表示領域Ａ１のサイズの下限及び上限を超えてピンチイン、ピンチアウトすることによって表示領域Ａ１は、各階層Ｓ１、Ｓ２、Ｓ３…の間を移動する。詳しくは後述する動作の項目において説明する。
【００４７】
図４（ａ）〜（ｃ）は、実施の形態におけるタッチセンサ部に対する代表的な操作例を示す概略図である。
【００４８】
図４（ａ）に示す動作は、ドラッグと呼ばれる操作であり、例えば、利用者の手Ｈ１の任意の指を検出面１２１に接触させたまま移動させる操作を示す。
【００４９】
また、図４（ｂ）に示す動作は、ピンチアウトと呼ばれる操作であり、利用者の手Ｈ１の任意の２本の指を検出面１２１に接触させたまま互いに遠ざかる方向に移動させる操作を示す。
【００５０】
また、図４（ｃ）に示す動作は、ピンチインと呼ばれる操作であり、利用者の手Ｈ１の任意の２本の指を検出面１２１に接触させたまま互いに近づく方向に移動させる操作を示す。
【００５１】
その他、図示しないがタッチ操作、タップ操作及び長押操作等を用いることもできる。
【００５２】
タッチ操作とは、例えば、指で検出面１２１に接触する操作を示す。タップ操作は、タッチ操作よりも短い時間で検出面１２１に接触する操作、言い換えれば、検出面１２１を叩くような操作を示す。また、タップ操作は、予め定められた時間内に複数回繰り返すことで、回数に応じた異なる機能を実行させることができる。例えば、１回のタップ操作は、マウスで行うクリックに相当する。また、例えば、連続する２回のタップ操作（ダブルタップ操作）は、マウスで行うダブルクリックに相当する。
【００５３】
長押操作とは、検出面１２１上を、予め定められた時間よりも長く接触し続ける操作である。この長押操作の判定は、例えば、マイクロコンピュータ２０又はメモリ３８に記憶された操作時間に関するしきい値と、長押操作が継続する時間と、を比較することにより行われる。判定部２４は、例えば、操作がアイコン上になされ、かつ、操作が継続する時間がしきい値を超えるとき、長押操作がなされていると判定する。
【００５４】
（動作）
まず、車両６の電源から電圧Ｖが投入されると、マイクロコンピュータ２０、タッチセンサ部１２、表示部１４等の各部に電力が供給される。
【００５５】
次に、マイクロコンピュータ２０の表示画像生成部２６は、初期設定として表示領域Ａ１が表示画像情報２６０の階層Ｓ１の全体となるように表示画像情報２６０を出力する。
【００５６】
次に、表示コントローラ２２は、表示画像生成部２６から出力された表示画像情報２６０に基づいて表示信号を生成し、表示信号に基づいた画像を表示部１４に表示させる。
【００５７】
また、センサコントローラ３４は、タッチセンサ部１２に供給する電圧の制御、供給時間の制御、静電容量の読み出しのタイミングの制御等を行う。
【００５８】
判定部２４は、タッチセンサ部１２のタッチ検出部１２５から取得した検出信号に基づいた座標値から、指が接触、又は近づいた座標を算出し、ドラッグ操作、ピンチアウト操作、ピンチイン操作、タッチ操作、タップ操作及び長押操作等の操作を判定する。
【００５９】
次に、表示画像生成部２６は、判定部２４が判定した操作に基づいて表示部１４に表示させる表示画像を生成する。その具体的な動作の一例を以下に示す。
【００６０】
図５Ａ及び図５Ｂは、表示画面１４０に表示される表示画像Ａ２と、表示画像情報２６０と、表示領域Ａ１と、判定部２４が判定した操作内容との関係から表示入力装置１の動作の一例を説明するための概略図である。
【００６１】
図５Ａ（ａ）は、初期設定として表示画面１４０に表示される表示画像Ａ２である。この場合、マイクロコンピュータ２０の表示画像生成部２６は、表示領域Ａ１が表示画像情報２６０の階層Ｓ１の全体となるように表示画像情報２６０を出力している。
【００６２】
この表示画像Ａ２が表示されている状態において、タッチセンサ部１２に対して図４（ａ）に説明したドラッグ操作であって検出面１２１に対して右下に移動するものがなされると、判定部２４は、タッチセンサ部１２のタッチ検出部１２５から取得した検出信号に基づいて右下に移動するドラッグ操作であると判定する。
【００６３】
次に、表示画像生成部２６は、判定部２４が判定したドラッグ操作に基づいて表示部１４に表示させる表示画像情報として、図５Ａ（ｂ）に示すように、表示領域Ａ１が表示画像情報２６０の階層Ｓ１の左上に移動した状態に対応する表示画像情報２６０を出力する。この結果、「シート」を示す選択肢ｓ１１が中央に位置する表示画像Ａ２が表示画面１４０に表示される。
【００６４】
次に、図５Ａ（ｂ）に示す表示画像Ａ２が表示されている状態において、タッチセンサ部１２に対して図４（ｂ）に説明したピンチアウト操作がなされると、判定部２４は、タッチセンサ部１２のタッチ検出部１２５から取得した検出信号に基づいてピンチアウト操作であると判定する。
【００６５】
次に、表示画像生成部２６は、判定部２４が判定したピンチアウト操作に基づいて表示部１４に表示させる表示画像情報として、図５Ａ（ｃ）に示すように、表示領域Ａ１が図５Ａ（ｂ）のものに比べて縮小された状態に対応する表示画像情報２６０を出力する。この結果、「シート」を示す選択肢ｓ１１が中央に位置し、図５Ａ（ｂ）のものに比べて拡大された表示画像Ａ２が表示画面１４０に表示される。
【００６６】
次に、図５Ａ（ｃ）に示す表示画像Ａ２が表示されている状態において、タッチセンサ部１２に対してさらにピンチアウト操作がなされると、判定部２４は、タッチセンサ部１２のタッチ検出部１２５から取得した検出信号に基づいてピンチアウト操作であると判定する。
【００６７】
次に、表示画像生成部２６は、判定部２４が判定したピンチアウト操作に基づいて表示部１４に表示させる表示画像情報として、Ａ１をさらに縮小しようとするが、Ａ１のサイズが下限値に達すると、図５Ｂ（ａ）に示すように、表示領域Ａ１が階層Ｓ２に移動した状態に対応する表示画像情報２６０を出力する。この結果、「シート」に関連する「スライド」「リクライニング」「バーチカル」「ランバーサポート」「サイドサポート」「シートメモリ」等の選択肢ｓ２１〜ｓ２６が表示された表示画像Ａ２が表示画面１４０に表示される。
【００６８】
次に、図５Ｂ（ａ）に示す表示画像Ａ２が表示されている状態において、タッチセンサ部１２に対してドラッグ操作であって検出面１２１に対して左に移動するものがなされると、判定部２４は、タッチセンサ部１２のタッチ検出部１２５から取得した検出信号に基づいてドラッグ操作であると判定する。
【００６９】
次に、表示画像生成部２６は、判定部２４が判定したドラッグ操作に基づいて表示部１４に表示させる表示画像情報として、図５Ｂ（ｂ）に示すように、表示領域Ａ１が階層Ｓ２上を右に移動した状態に対応する表示画像情報２６０を出力する。この結果、階層Ｓ１の「エアコン」に関連する階層Ｓ２の「温度」「風量」「吹出し口」「シートヒータ」「Ａ／Ｃ」「ＡＵＴＯ」等の選択肢ｓ２７〜ｓ２１２が表示された表示画像Ａ２が表示画面１４０に表示される。
【００７０】
次に、図５Ｂ（ｂ）に示す表示画像Ａ２が表示されている状態において、タッチセンサ部１２に対してピンチイン操作がなされると、判定部２４は、タッチセンサ部１２のタッチ検出部１２５から取得した検出信号に基づいてピンチイン操作であると判定する。
【００７１】
次に、表示画像生成部２６は、判定部２４が判定したピンチイン操作に基づいて表示部１４に表示させる表示画像情報として、Ａ１を拡大しようとするが、Ａ１のサイズが上限値に達すると、図５Ｂ（ｃ）に示すように、表示領域Ａ１が階層Ｓ１に移動した状態に対応する表示画像情報２６０を出力する。この結果、階層Ｓ２の「温度」「風量」「吹出し口」「シートヒータ」「Ａ／Ｃ」「ＡＵＴＯ」等の選択肢ｓ２７〜ｓ２１２に関連する階層Ｓ１の「エアコン」の選択肢ｓ１２が表示された表示画像Ａ２が表示画面１４０に表示される。
【００７２】
また、制御部３２は、次の階層が存在しない選択肢が表示された状態において、判定部２４がさらにピンチアウト操作がされたと判定した場合、その選択肢に割り付けられた機能を定義する制御情報３２０とに基づいて、車両６に搭載されたシート位置調整装置、空調装置、ナビゲーション装置、オーディオ装置、視界確保装置及び運転支援装置等の電子機器を制御する。また、制御部３２は、例えば、マイクロコンピュータ２０の各部を制御する。例えば、階層Ｓ２の「スライド」を示す選択肢ｓ１１に対応する階層Ｓ３の「＋」、「−」を示す選択肢ｓ３１、ｓ３２が表示された状態においてピンチアウトがなされると、制御部３２は、シート位置調整装置に対しシートを「＋」方向、「−」方向にスライドするよう指示する。
【００７３】
（実施の形態の効果）
上記した実施の形態によると、表示画像情報２６０の階層Ｓ１の選択肢（例えば、ｓ１１）に対応した下位の階層Ｓ２の選択肢（例えば、ｓ２１〜ｓ２６）が対応した領域に配置され、タッチセンサ部１２に対する操作に応じて表示領域Ａ１が階層Ｓ１、Ｓ２間を移動するよう構成し、また、各階層上を自由に移動可能としたため、上位階層で選択した選択肢と異なる選択肢に属する下位の選択肢を探す場合に上位階層に一旦戻ることなく辿り着くことができる。つまり、階層毎に選択肢が表示される場合に所望の選択肢に辿り着くための操作手順を減少することができる。
【００７４】
また、階層Ｓ２において、カテゴリ分けが曖昧な「シートヒータ」等を示す選択肢を上位階層の選択肢である「シート」と「エアコン」との境界付近の領域対応する位置に配置することで利用者が所望の選択肢に辿り着くのに要する操作手順を減少することができる。
【００７５】
なお、本発明は、上記した実施の形態に限定されず、本発明の技術思想を逸脱あるいは調整しない範囲内で種々の変形が可能である。例えば、判定部２４が判定する操作は、ドラッグ操作、ピンチアウト操作、ピンチイン操作等に限らずタッチセンサ部１２に入力可能な操作であればその種類を問わない。また、実施の形態において説明した判定部２４の判定と、表示領域Ａ１の移動、拡大・縮小等との対応付けは一例であり、その対応付けは任意に変更可能である。また、タッチセンサ部１２に代えて、十字キーや決定ボタン等を用いてもよい。
【符号の説明】
【００７６】
１…表示入力装置、６…車両、１２…タッチセンサ部、１４…表示部、２０…マイクロコンピュータ、２２…表示コントローラ、２４…判定部、２６…表示画像生成部、３２…制御部、３４…センサコントローラ、３６…クロック信号生成部、３８…メモリ、４０…通信部、６０…センターコンソール、６２…メータパネル、６３…ステアリングホイール、６４…シフトレバー、１２０…カバー、１２１…検出面、１２２…第１の電極、１２３…第２の電極、１２４…駆動部、１２５…タッチ検出部、１４０…表示画面、２６０…表示画像情報、３２０…制御情報、３８０…接続機器情報
【図１】
2012256147.tif 000003
【図２】
2012256147.tif 000004
【図３】
2012256147.tif 000005
【図４】
2012256147.tif 000006
【図５Ａ】
2012256147.tif 000007
【図５Ｂ】
2012256147.tif 000008